(57)【特許請求の範囲】
【請求項１】
埋設管の下部に敷設される下記の構成の敷設部材と、埋設管の上部に敷設される下記の構成の敷設部材とからなることを特徴とする埋設管の敷設構造。
記
埋設管の下部に敷設される敷設部材：通水性を有する袋体内に所定径を有し透水性を有する砂が詰入されたもので、更に、この袋体はシート上に前記砂を配設し、前記シートの両端を内側へ折り畳むことで構成され、更に、この袋体の巾は前記埋設管の径よりも広い所定巾に設定され、更に、この袋体の表面には該袋体の透水係数及び該袋体内に詰入される砂の透水係数を表示する表示部が設けられているもの。
埋設管の上部に敷設される敷設部材：通水性を有する袋体内に所定径を有し透水性を有する砂が詰入されたもので、更に、この袋体はシート上に前記砂を配設し、前記シートの両端を内側へ折り畳むことで構成されるものであり、更に、この袋体の巾は前記埋設管の径よりも広い所定巾に設定され、更に、この袋体の表面には該袋体の透水係数及び該袋体内に詰入される砂の透水係数を表示する表示部が設けられ、更に、電波，音波，磁気などの信号を発したり、或いは、地上から発する信号を加工して別の信号として発する機能が具備せしめられ、地上にて検知機などで前記埋設管の種類，径及び埋設深さなどの埋設管情報を検知し得るように構成されたもの。
【発明の詳細な説明】
【０００１】
【発明の属する技術分野】
本発明は、埋設管の敷設構造に関するものである。
【０００２】
【従来の技術及び発明が解決しようとする課題】
従来から、水道管やガス管などの埋設管の埋設作業は、地面を掘削して凹溝を形成し、この凹溝に埋設管を配設して埋め戻す、という工程を経て行われる。
【０００３】
ところで、この埋設管を埋め戻す際には、一般的に埋設管の周囲には砂が配設され、この砂は埋設管の高さ調整を行う為に使用されたり、埋設管を支持するクッション材として機能せしめられている。
【０００４】
しかしながら、この砂、特に埋設管の下方部位の砂は、施工後、時間が経つにつれ、雨水や地下水などの流水によって流されてしまい（これは、地面を掘削して形成した（締め固まった）部分である凹溝上に軟弱な土から成る埋め戻し部分がある為、この凹溝の底上が水路のようになり、該部分の砂が流される。）、この埋設管を支持する砂が流されることで埋設管の周囲に空洞ができ、よって、この空洞が原因となって路盤（例えばアスファルト）が陥没したり、埋設管を支持するものが無くなり埋設管が破損したりするなどの問題が起きている。
【０００５】
本出願人は、上述の問題点に鑑み、極めて商品価値の高い画期的な本発明を完成した。
【０００６】
【課題を解決するための手段】
添付図面を参照して本発明の要旨を説明する。
【０００７】
埋設管１の下部に敷設される下記の構成の敷設部材２と、埋設管１の上部に敷設される下記の構成の敷設部材２とからなることを特徴とする埋設管の敷設構造に係るものである。
【０００８】
記
埋設管１の下部に敷設される敷設部材２：通水性を有する袋体３内に所定径を有し透水性を有する砂４が詰入されたもので、更に、この袋体３はシート上に前記砂４を配設し、前記シートの両端を内側へ折り畳むことで構成され、更に、この袋体３の巾は前記埋設管１の径よりも広い所定巾に設定され、更に、この袋体３の表面には該袋体３の透水係数及び該袋体３内に詰入される砂４の透水係数を表示する表示部７が設けられているもの。
【０００９】
埋設管１の上部に敷設される敷設部材２：通水性を有する袋体３内に所定径を有し透水性を有する砂４が詰入されたもので、更に、この袋体３はシート上に前記砂４を配設し、前記シートの両端を内側へ折り畳むことで構成されるものであり、更に、この袋体３の巾は前記埋設管１の径よりも広い所定巾に設定され、更に、この袋体３の表面には該袋体３の透水係数及び該袋体３内に詰入される砂４の透水係数を表示する表示部７が設けられ、更に、電波，音波，磁気などの信号を発したり、或いは、地上から発する信号を加工して別の信号として発する機能が具備せしめられ、地上にて検知機などで前記埋設管１の種類，径及び埋設深さなどの埋設管情報を検知し得るように構成されたもの。
【００１０】
【発明の作用及び効果】
本発明は、埋設管１を埋設するに際し、例えば地面に埋設管１を配設する為の凹溝５ａを掘削し、この凹溝５ａに敷設部材２を敷設し、この敷設部材２の上に埋設管１を配設し、この埋設管１の上に敷設部材２を敷設し、埋設管１を埋め戻す。
【００１１】
この埋設管１を配設した凹溝５ａに雨水や地下水などが流れた際には、この流水は敷設部材２を通過し、且つ、砂４は該敷設部材２で保持されている為、流されることはなく、よって、従来のように埋設管１の周辺に空洞が生じることはない。
【００１２】
また、埋設管１の上の敷設部材２によっても上記空洞が生じることが防止される。
【００１３】
よって、本発明によれば、敷設部材２が雨水や地下水などの流水を積極的に通過させ、且つ、埋設管１を安定的に支持する為の砂４が敷設部材２内に確実に保持される構成の為、従来のように埋設管１の周囲に空洞が生じることはなく、地面に陥没が起きたり、埋設管１が破損してしまうことは確実に防止され、しかも、この敷設部材２が埋設管１の高さ調整にも使用でき、更に、クッション材としての機能も十分発揮し、更に、軟弱地盤であっても常に良好な状態で埋設管１を安定的に支持することになり、また、砂４が敷設部材２内に詰入されている為、取り扱いが極めて良好であり埋設管１の埋設作業性も飛躍的に向上することになるなど極めて商品価値の高い画期的な埋設管の敷設構造となる。
【００１４】
【発明の実施の形態】
図１〜３により本発明の実施例を説明する。
【００１５】
符号１は水道管やガス管などの地中に埋設される埋設管、５ａは地面５に掘削形成され、埋設管１を配設する為の凹溝である。
【００１６】
本実施例は、地面５に掘削される凹溝５ａに配設される埋設管１の上部及び下部に敷設部材２を設けたものである。
【００１７】
敷設部材２は、袋体３と、この袋体３内に詰入される砂４とで構成されている。尚、本実施例では、敷設部材２を土嚢のような大きさに構成しているが、埋設管１と同じくらいの長さの細長い袋体３内に砂４を詰入して構成するなど、その大きさは適宜設計変更し得るものである。
【００１８】
袋体３は、図１に図示したように適宜な通水性を備えた生地（旭化成工業（株）製の「商品名：パブリックシート」）を袋状に形成したものであり、その一側には砂４を詰入する為の開口部３ａが設けられ、この開口部３ａには適宜な合成樹脂製のファスナー６が設けられている。
【００１９】
また、この袋体３の通水性は、適当量の水を通し且つ後述する砂４が流れ出ない程度の大きさの隙間を備えた生地で構成されている。
【００２０】
また、この袋体３は、その表面に該袋体３の透水係数及び袋体３内に詰入される砂４の透水係数を表示する表示部７が設けられている。
【００２１】
従って、作業者はこの表示部７を見ることで、この敷設部材２が、どのような場所で、どのような用途で、どのような使用形態で使用したら良いかなどの情報を簡易に得られることになる。
【００２２】
砂４は、図１に図示したように所定径を備えた砂が採用されている。尚、径の異なる種々のサイズの砂４を一つの袋体３に混ぜて詰入しても良く、また、砂４の他にも本実施例の特性を発揮し得る粒体等であれば適宜採用し得るものである。
【００２３】
以上の構成からなる敷設部材２は適度な通水性を備えており、この通水性は透水係数で表され、袋体３内に砂４を所定量詰入した際、透水係数が１．０５×１０-1〜１．０５×１０-4ｃｍ／ｓｅｃ程度となるように設定されることが望ましい。
【００２４】
従って、袋体３及び砂４によって敷設部材２の通水量を適宜可変し得るものである。
【００２５】
本実施例に係る敷設部材２は、袋体３に砂４を詰入した構成のものが採用され、予め工場などで製造して現場へ持ち込むという場合を例にして説明したが、例えば凹溝５ａに通水性を有するシートを敷き、このシートに砂４を配設し、この状態でシートの両端を内側へ折り畳むことで砂４を包む等、その場で敷設部材２を構成するようにしても良いのは勿論である。
【００２６】
また、袋体３の巾寸法は埋設管１の巾Ｓ１よりも広い所定巾Ｓ２となるように設定されており、凹溝５ａに配設された敷設部材２の上に埋設管１を載置した際、この埋設管１の左右部位から突出する部分が足場となり作業者が移動する通路として機能する。
【００２７】
従って、本実施例は、特にぬかるむ凹溝５ａ内の移動が何ら支障なく行えることになり良好な埋設管１の埋設作業が行えることになる。
【００２８】
また、埋設管１の上部に敷設する敷設部材２は、電波（電磁波）、音波、磁気などの信号を発したり、或いは、地上から発する信号を加工して別の信号として発したりする機能が具備せしめられており、地上にて検知機などで地下に埋設される埋設管１の種類、径、埋設深さなどの地下の埋設管情報が検知できるように構成されている。
【００２９】
本実施例は上述のように構成したから、埋設管１を埋設するに際し、常法に従い、地面に埋設管１を配設する為の凹溝５ａを掘削し、続いて、この凹溝５ａに敷設部材２を敷設し、続いて、この敷設部材２の上に埋設管１を配設し、続いて、この埋設管１の上に敷設部材２を敷設し、続いて、この埋設管１を土や砂利などで埋め戻して作業は完了する。尚、用途によって通水性の異なる敷設部材２を敷設するものである。
【００３０】
この埋設管１を配設した凹溝５ａに雨水や地下水などが流れた際には、この流水は敷設部材２内（袋体３及び砂４同志間）を通過し、且つ、砂４は袋体３で保持され流されることはない為、従来のように埋設管１の周辺に空洞が生じることはない。また、埋設管１の上の敷設部材２によっても同様に空洞が生じることが防止される。
【００３１】
符号８は路盤（アスファルト）である。
【００３２】
よって、本実施例によれば、敷設部材２が雨水や地下水などの流水を積極的に通過させ、且つ、埋設管１を安定的に支持する為の砂４が敷設部材２内に確実に保持される構成の為、従来のように埋設管１の周囲に空洞が生じることはないから、地面５に陥没が起きたり、埋設管１が破損してしまうことは確実に防止され、しかも、この敷設部材２が埋設管１の高さ調整にも使用でき、更に、クッション材としての機能も十分発揮し、更に、軟弱地盤であっても常に良好な状態で埋設管１を安定的に支持することになり、また、砂４が敷設部材２内に詰入されている為、取り扱いが極めて良好であり埋設管１の埋設作業性も飛躍的に向上することになる。
【００３３】
また、本実施例は、袋体３内に詰入するものとして砂４を採用したから、敷設部材２の製造コストが安く、そして、量産性にも秀れることになる。
【図面の簡単な説明】
【図１】  本実施例に係る敷設部材を示す斜視図である。
【図２】  本実施例を示す正断面図である。
【図３】  本実施例の説明正断面図である。
【符号の説明】
１  埋設管
２  敷設部材
３  袋体
４  砂
７  表示部
【図１】
0003889913.tif 000002
【図２】
0003889913.tif 000003
【図３】
0003889913.tif 000004